(57)【要約】      （修正有）【課題】待機状態で緊急放送の有無を監視するための消費電力を軽減できる受信装置を提供する。【解決手段】受信装置１００は、緊急放送有無情報が多重された少なくとも１つのＡＣキャリアを含む一部帯域のＦＦＴ処理を行なって、その一部帯域のサブキャリアを取得するＦＦＴ回路２３と、ＯＦＤＭ信号の全帯域のＦＦＴ処理を行なって、全帯域のサブキャリアを取得し、得られたサブキャリアに基づいて、ＯＦＤＭ信号に含まれる放送コンテンツを復調するパイロット・データシンボル復調処理部５０と、ＯＦＤＭ信号に対して、ＦＦＴ回路２３でＦＦＴ処理をするか、ＦＦＴ回路２５でＦＦＴ処理をするかを切り替えるスイッチ２０と、待機状態ではＦＦＴ回路２３にＦＦＴ処理を行なわせ、緊急放送有無情報が、緊急放送があることを示している場合に、ＦＦＴ回路２５にＦＦＴ処理を行なわせるように、スイッチ２０を制御する制御部２８とを備えている。【選択図】図１
2014053864.tif 000002
【特許請求の範囲】
【請求項１】
緊急放送の有無を示す緊急放送有無情報を含むＯＦＤＭ信号を受信する受信手段と、
前記ＯＦＤＭ信号のうちの前記緊急放送有無情報が多重された少なくとも１つの制御キャリアを含む一部帯域のＦＦＴ処理を行なって、前記一部帯域のサブキャリアを取得する狭帯域ＦＦＴ手段と、
前記一部帯域のサブキャリアに含まれる前記少なくとも１つの制御キャリアに多重された前記緊急放送有無情報を抽出する制御信号復号手段と、
前記ＯＦＤＭ信号の全帯域のＦＦＴ処理を行なって、全帯域のサブキャリアを取得する全帯域ＦＦＴ手段と、
前記全帯域ＦＦＴ手段によって得られたサブキャリアに基づいて、前記ＯＦＤＭ信号に含まれる放送コンテンツを復調する復調手段と、
前記復調手段が起動していない待機状態では、前記狭帯域ＦＦＴ手段に前記ＯＦＤＭ信号のＦＦＴ処理を行なわせ、前記制御信号復号手段が抽出した前記緊急放送有無情報が、緊急放送があることを示している場合に、前記全帯域ＦＦＴ手段に前記ＯＦＤＭ信号のＦＦＴ処理を行なわせる制御手段と、
を備えたことを特徴とする受信装置。
【請求項２】
前記ＯＦＤＭ信号には、同一内容の前記緊急放送有無情報が多重された複数の制御キャリアが含まれ、
前記狭帯域ＦＦＴ手段は、前記ＯＦＤＭ信号の受信品質に応じて前記一部帯域を変更することを特徴とする請求項１に記載の受信装置。
【請求項３】
前記狭帯域ＦＦＴ手段は、前記ＯＦＤＭ信号の受信品質に応じて前記一部帯域の帯域幅を変更することを特徴とする請求項２に記載の受信装置。
【請求項４】
前記狭帯域ＦＦＴ手段は、前記ＯＦＤＭ信号の受信品質に応じて前記一部帯域の位置を変更することを特徴とする請求項２または３に記載の受信装置。
【請求項５】
前記受信品質は、前記復調手段による前記放送コンテンツの復調結果に基づいて求められることを特徴とする請求項２ないし４のいずれか一項に記載の受信装置。
【請求項６】
前記復調手段は、前記待機状態にあるときにも定期的に起動して、前記受信品質を求めることを特徴とする請求項５に記載の受信装置。
【請求項７】
前記受信品質は、前記制御信号復号手段による前記制御キャリアの復号結果に基づいて求められることを特徴とする請求項２ないし４のいずれか一項に記載の受信装置。
【請求項８】
前記ＯＦＤＭ信号には、同一内容の前記緊急放送有無情報が多重された複数の制御キャリアが含まれ、
前記狭帯域ＦＦＴ手段は、互いに異なる複数の前記一部帯域のＦＦＴ処理を順に行なうことを特徴とする請求項１に記載の受信装置。
【請求項９】
前記狭帯域ＦＦＴ手段は、前記一部帯域のみを通過させるバンドパスフィルタと、前記一部帯域の帯域幅に応じてサンプリングレートを変更するサンプリングレート変換器と、前記サンプリングレート変換器によってサンプリングされた信号に対してＦＦＴ処理を行ない前記一部帯域のサブキャリアを取得するＦＦＴ回路とを備えたことを特徴とする請求項１ないし８のいずれか一項に記載の受信装置。
【請求項１０】
前記制御キャリアは、ＴＭＣＣキャリアまたはＡＣキャリアであることを特徴とする請求項１ないし９のいずれか一項に記載の受信装置。
【請求項１１】
緊急放送の有無を示す緊急放送有無情報を含むＯＦＤＭ信号を受信する受信手段と、
前記ＯＦＤＭ信号から前記緊急放送有無情報を抽出する制御信号復号手段と、
前記ＯＦＤＭ信号のサブキャリアに基づいて、前記ＯＦＤＭ信号に含まれる放送コンテンツを復調する復調手段と、
前記復調手段が起動していない待機状態において、前記緊急放送有無情報が、緊急放送があることを示している場合に、前記復調手段を起動する自動起動機能を有効にし、または無効にする制御手段と、
を備えたことを特徴とする受信装置。
【請求項１２】
緊急放送の有無を示す緊急放送有無情報を含むＯＦＤＭ信号を受信する受信ステップと、
前記ＯＦＤＭ信号に含まれる放送コンテンツを復調していない待機状態にて、前記ＯＦＤＭ信号のうちの前記緊急放送有無情報が多重された少なくとも１つの制御キャリアを含む一部帯域のＦＦＴ処理を行なって、前記一部帯域のサブキャリアを取得する狭帯域ＦＦＴステップと、
前記一部帯域のサブキャリアに含まれる前記少なくとも１つの制御キャリアに多重された前記緊急放送有無情報を抽出する制御信号復号ステップと、
前記制御信号復号ステップで抽出された前記緊急放送有無情報が、緊急放送があることを示している場合に、前記ＯＦＤＭ信号の全帯域のＦＦＴ処理を行なって、全帯域のサブキャリアを取得する全帯域ＦＦＴステップと、
前記全帯域ＦＦＴステップにて得られたサブキャリアに基づいて、前記ＯＦＤＭ信号に含まれる放送コンテンツを復調する復調ステップと、
を含むことを特徴とする受信装置の自動起動方法。
【請求項１３】
前記全帯域ＦＦＴステップにて得られた前記全帯域のサブキャリアに含まれる前記緊急放送有無情報を抽出する第２の制御信号復号ステップと、
前記第２の制御信号復号ステップにて抽出された前記緊急放送有無情報が、緊急放送がないことを示している場合に、前記復調ステップを停止して前記狭帯域ＦＦＴステップに切り替える切替ステップと、
を更に含むことを特徴とする請求項１２に記載の受信装置の自動起動方法。
【発明の詳細な説明】
【技術分野】
【０００１】
本発明は、ＯＦＤＭ信号に含まれる緊急放送有無信号に基づいて自動起動する受信装置、およびその自動起動方法に関するものである。
【背景技術】
【０００２】
現行のＩＳＤＢ−Ｔ（Integrated Services Digital Broadcasting-Terrestrial）やＩＳＤＢ−ＴＳＢ（Integrated Services Digital Broadcasting-Terrestrial Sound Broadcasting）などの地上波デジタル放送システムでは、地震、津波等の緊急災害発生時に緊急警報放送（ＥＷＳ：Emergency Warning System）を行なうための伝送方法が規格化されている（ＡＲＩＢ  ＳＴＤ−Ｂ１０／Ｂ２９／Ｂ３１等を参照）。
【０００３】
この規格では、災害発生時に、ＯＦＤＭ（Orthogonal Frequency Division Multiplexing）伝送に使用する制御信号のうちのＰＭＴ（Program Map Table）に緊急情報記述子を多重し、ＴＭＣＣ（Transmission Multiplexing Configuration Control）に緊急警報放送起動フラグを多重することで、受信装置側に緊急放送の有無を通知する。また、別の制御信号として、ＡＣ（Auxiliary Channel）を用いて緊急地震速報を伝達することについても、例えば非特許文献１などで検討されている。
【０００４】
ＥＷＳや緊急地震速報等の緊急放送は、映像や音声を出力可能な受信装置にて受信されるが、緊急放送は、避難情報等を含んでいるため、受信装置がどのような状態であったとしても、配信されてからなるべく早く（例えば１０秒以内）に受信装置側で確実に検知できる必要がある。このため、受信装置は、待機状態（即ち、受信装置が使用されておらず、映像や音声を出力していない状態）であったとしても、緊急放送を検知して、それをトリガとして、自動的に起動して、緊急放送の映像や音声を出力する自動起動機能を有することが望ましい。
【０００５】
このような自動起動機能を実現した先行技術として、特許文献１に記載のデジタル放送受信装置がある。図１３は、特許文献１に記載されたデジタル放送受信装置の構成を示すブロック図である。デジタル放送受信装置１２１は、放送受信部１１９、緊急地震情報受信部１２０、および放送受信部１１９や緊急地震情報受信部１２０の動作制御や電力制御を行う制御部１１８を備えている。
【０００６】
放送受信部１１９は、映像信号、音声信号を再生する主流のブロックとして、選局部１０２、直交復調部１０３、高速フーリエ変換（ＦＦＴ）部１０４、ＦＦＴ部１０４以降ＴＳ出力までのＩＳＤＢ−Ｔ方式の復調・復号動作を行う復調復号部１０５、デスクランブル部１０６、デマックス部１０７、映像信号および音声信号のデコード部１０８、デコードされた映像信号の表示を行う映像表示部１０９、デコードされた音声信号の出力を行う音声出力部１１０、同期再生部１１１、およびフレーム抽出部１１２を備えている。放送受信部１１９は、さらに、復調復号部１０５の動作を行うための同期信号再生や、伝送パラメータなどの情報入手を行うＴＭＣＣ復号部１１３を備えている。また、緊急地震情報受信部１２０は、フラグ検出部１１４、データ抽出部１１５、判別部１１６、緊急地震速報の出力部１１７を備えている。
【０００７】
デジタル放送受信装置１２１は、ＩＳＤＢ−Ｔ方式において、セグメント番号＃０に含まれるＡＣ信号を用いて伝送された緊急地震情報を受信する。デジタル放送受信装置１２１は、緊急放送が放送されていない場合には、第１の電力消費状態でＡＣキャリアの受信のみを行い、映像や音声の出力はせず、ＡＣキャリアにて緊急起動フラグを検知した場合には、速やかに第２の電力消費状態に移行して、緊急放送の映像および音声の出力を行なう。
【０００８】
具体的には、デジタル放送受信装置１２１は、待機状態では、ＡＣキャリアに多重された緊急地震速報の有無を監視するために、図１３に示した構成Ａを用いる。デジタル放送受信装置１２１は、構成Ａによって緊急地震速報を検知すると、さらに構成Ｂを用いて緊急地震速報を出力する。通常の放送コンテンツ（映像や音声）を受信して出力しつつ、緊急地震速報を監視する場合は、構成Ａに加えて構成Ｃを用いる。このデジタル放送受信装置１２１によって、待機状態で緊急地震速報の有無を監視して、緊急地震速報が放送されていることを検知した場合に自動で緊急放送の映像や音声の出力を開始するという自動起動が実現できる。
【先行技術文献】
【特許文献】
【０００９】
【特許文献１】特開２０１１−１１４５９３号公報
【非特許文献】
【００１０】
【非特許文献１】「緊急地震速報の速やかな伝送について検討報告書（詳細）」社団法人電波産業会  デジタル放送システム開発部会  デジタル受信機作業班  緊急情報伝送ＴＧ、平成２１年９月４日
【発明の概要】
【発明が解決しようとする課題】
【００１１】
しかしながら、自動起動機能を実現するためには、上述のように、受信装置において、待機状態でも常時緊急放送の有無を示す制御信号を受信したか否かの監視を行なう必要があるので、待機電力のために電力消耗が早くなるという問題があり、省エネルギーの観点からも不利である。特に、災害時に携行する受信装置の場合には、乾電池等の物資が限られた状況で長時間駆動させることが求められるので、消費電力の問題は受信装置の利用可能時間に直結し、非常に大きな課題となる。
【００１２】
本発明は、上記の問題に鑑みてなされたものであり、待機状態で緊急放送の有無を監視するための消費電力を軽減できる受信装置およびその自動起動方法を提供することを目的とする。
【課題を解決するための手段】
【００１３】
本発明の受信装置は、緊急放送の有無を示す緊急放送有無情報を含むＯＦＤＭ信号を受信する受信手段と、前記ＯＦＤＭ信号のうちの前記緊急放送有無情報が多重された少なくとも１つの制御キャリアを含む一部帯域のＦＦＴ処理を行なって、前記一部帯域のサブキャリアを取得する狭帯域ＦＦＴ手段と、前記一部帯域のサブキャリアに含まれる前記少なくとも１つの制御キャリアに多重された前記緊急放送有無情報を抽出する制御信号復号手段と、前記ＯＦＤＭ信号の全帯域のＦＦＴ処理を行なって、全帯域のサブキャリアを取得する全帯域ＦＦＴ手段と、前記全帯域ＦＦＴ手段によって得られたサブキャリアに基づいて、前記ＯＦＤＭ信号に含まれる放送コンテンツを復調する復調手段と、前記復調手段が起動していない待機状態では、前記狭帯域ＦＦＴ手段に前記ＯＦＤＭ信号のＦＦＴ処理を行なわせ、前記制御信号復号手段が抽出した前記緊急放送有無情報が、緊急放送があることを示している場合に、前記全帯域ＦＦＴ手段に前記ＯＦＤＭ信号のＦＦＴ処理を行なわせる制御手段とを備えた構成を有している。
【００１４】
この構成によれば、待機状態では狭帯域ＦＦＴ手段によって一部帯域のＦＦＴ処理が行なわれて、そのＦＦＴ処理に基づいて緊急放送があることが検知された場合には、全帯域ＦＦＴ手段と復調手段によって放送コンテンツが復調されるので、待機状態で緊急放送の有無を監視するためのＦＦＴ処理にかかる処理負担を軽減して、消費電力を抑えることができる。
【００１５】
前記ＯＦＤＭ信号には、同一内容の前記緊急放送有無情報が多重された複数の制御キャリアが含まれていてよく、前記狭帯域ＦＦＴ手段は、前記ＯＦＤＭ信号の受信品質に応じて前記一部帯域を変更してよい。
【００１６】
この構成によれば、受信品質に応じて適切な一部帯域でＦＦＴ処理を行なうことができる。
【００１７】
前記狭帯域ＦＦＴ手段は、前記ＯＦＤＭ信号の受信品質に応じて前記一部帯域の帯域幅を変更してよい。
【００１８】
この構成によれば、受信品質が悪い場合には、複数の制御キャリアを含む一部帯域でＦＦＴ処理をするなどして、緊急放送有無情報を確実に検出できる。
【００１９】
前記狭帯域ＦＦＴ手段は、前記ＯＦＤＭ信号の受信品質に応じて前記一部帯域の位置を変更してよい。
【００２０】
この構成によれば、周波数選択性フェージング等の影響により受信品質が悪い場合には、受信品質のよい制御キャリアを含む一部帯域でＦＦＴ処理をするなどして、緊急放送有無情報を確実に検出できる。
【００２１】
前記受信品質は、前記復調手段による前記放送コンテンツの復調結果に基づいて求められてよい。
【００２２】
この構成によれば、受信品質を容易に求めることができる。
【００２３】
前記復調手段は、前記待機状態にあるときにも定期的に起動して、前記受信品質を求められてよい。
【００２４】
この構成によれば、より新しい受信品質の情報を得ることができる。
【００２５】
前記受信品質は、前記制御信号復号手段による前記制御キャリアの復号結果に基づいて求められてよい。
【００２６】
この構成によれば、復調手段を起動しなくても最新の受信品質の情報を得ることができる。
【００２７】
前記ＯＦＤＭ信号には、同一内容の前記緊急放送有無情報が多重された複数の制御キャリアが含まれてよく、前記狭帯域ＦＦＴ手段は、互いに異なる複数の前記一部帯域のＦＦＴ処理を順に行なってよい。
【００２８】
この構成によれば、周波数選択性フェージングがある場合にも、緊急放送有無情報を確実に検出できる。
【００２９】
前記狭帯域ＦＦＴ手段は、前記一部帯域のみを通過させるバンドパスフィルタと、前記一部帯域の帯域幅に応じてサンプリングレートを変更するサンプリングレート変換器と、前記サンプリングレート変換器によってサンプリングされた信号に対してＦＦＴ処理を行ない前記一部帯域のサブキャリアを取得するＦＦＴ回路とを備えた構成を有していてよい。
【００３０】
この構成によれば、狭帯域ＦＦＴ手段によるＦＦＴ処理のウィンドウを小さくすることができる。
【００３１】
前記制御キャリアは、ＴＭＣＣキャリアまたはＡＣキャリアであってよい。
【００３２】
この構成によれば、制御キャリアを用いて緊急放送有無情報を受信端末に伝達できる。
【００３３】
本発明の別の態様の受信装置は、緊急放送の有無を示す緊急放送有無情報を含むＯＦＤＭ信号を受信する受信手段と、前記ＯＦＤＭ信号から前記緊急放送有無情報を抽出する制御信号復号手段と、前記ＯＦＤＭ信号のサブキャリアに基づいて、前記ＯＦＤＭ信号に含まれる放送コンテンツを復調する復調手段と、前記復調手段が起動していない待機状態において、前記緊急放送有無情報が、緊急放送があることを示している場合に、前記復調手段を起動する自動起動機能を有効にし、または無効にする制御手段とを備えた構成を有している。
【００３４】
この構成によれば、待機状態にて緊急放送有無情報の監視をして自動的に復調手段を起動する自動起動機能を必要としない場合には、その自動起動機能を無効にして、待機状態での緊急放送有無情報の監視を停止することで、諸費電力を抑えることができる。
【００３５】
本発明の受信装置の自動起動方法は、緊急放送の有無を示す緊急放送有無情報を含むＯＦＤＭ信号を受信する受信ステップと、前記ＯＦＤＭ信号に含まれる放送コンテンツを復調していない待機状態にて、前記ＯＦＤＭ信号のうちの前記緊急放送有無情報が多重された少なくとも１つの制御キャリアを含む一部帯域のＦＦＴ処理を行なって、前記一部帯域のサブキャリアを取得する狭帯域ＦＦＴステップと、前記一部帯域のサブキャリアに含まれる前記少なくとも１つの制御キャリアに多重された前記緊急放送有無情報を抽出する制御信号復号ステップと、前記制御信号復号ステップで抽出された前記緊急放送有無情報が、緊急放送があることを示している場合に、前記ＯＦＤＭ信号の全帯域のＦＦＴ処理を行なって、全帯域のサブキャリアを取得する全帯域ＦＦＴステップと、前記全帯域ＦＦＴステップにて得られたサブキャリアに基づいて、前記ＯＦＤＭ信号に含まれる放送コンテンツを復調する復調ステップとを含んでいる。
【００３６】
この構成によっても、待機状態では一部帯域のＦＦＴ処理が行なわれて、そのＦＦＴ処理に基づいて緊急放送があることが検知された場合には、全帯域のＦＦＴ処理および復調処理によって放送コンテンツが復調されるので、待機状態で緊急放送の有無を監視するためのＦＦＴ処理にかかる処理負担を軽減して、消費電力を抑えることができる。
【００３７】
上記の受信装置の自動起動方法は、さらに、前記全帯域ＦＦＴステップにて得られた前記全帯域のサブキャリアに含まれる前記緊急放送有無情報を抽出する第２の制御信号復号ステップと、前記第２の制御信号復号ステップにて抽出された前記緊急放送有無情報が、緊急放送がないことを示している場合に、前記復調ステップを停止して前記狭帯域ＦＦＴステップに切り替える切替ステップとを含んでいてよい。
【００３８】
この構成によれば、待機状態から自動的に起動して緊急放送を出力して、その後に緊急放送が終了した場合には、再び待機状態に戻ることができる。
【発明の効果】
【００３９】
本発明によれば、待機状態では一部帯域のＦＦＴ処理が行なわれて、そのＦＦＴ処理に基づいて緊急放送があることが検知された場合には、全帯域のＦＦＴ処理および復調処理によって放送コンテンツが復調されるので、待機状態で緊急放送の有無を監視するためのＦＦＴ処理にかかる処理負担を軽減して、消費電力を抑えることができる。
【図面の簡単な説明】
【００４０】
【図１】本発明の第１の実施の形態における受信装置の構成を示すブロック図
【図２】本発明の第１の実施の形態における直交復調器１９から出力されるベースバンドのＯＦＤＭ信号を示す図
【図３】本発明の第１の実施の形態における全帯域のＦＦＴ処理を説明する図
【図４】本発明の第１の実施の形態における狭帯域のＦＦＴ処理を説明する図
【図５】本発明の第１の実施の形態における待機状態（状態Ａ）での受信装置の動作フロー図
【図６】本発明の第１の実施の形態におけるパイロット・データシンボル復調処理部が緊急放送有無情報によって自動的に起動したとき（状態Ｂ）の受信装置の動作フロー図
【図７】本発明の第２の実施の形態の受信装置の構成を示すブロック図
【図８】本発明の第２の実施の形態のＦＦＴ回路におけるウィンドウサイズの切替えを説明するための図
【図９】本発明の第２の実施の形態における待機状態（状態Ａ）での受信装置の動作フロー図
【図１０】本発明の第２の実施の形態におけるパイロット・データシンボル復調処理部が緊急放送有無情報によって自動的に起動したとき（状態Ｂ）の受信装置の動作フロー図
【図１１】本発明の第３の実施の形態の受信装置の構成を示すブロック図
【図１２】本発明の第３の実施の形態のＦＦＴ回路におけるＦＦＴウィンドウを説明するための図
【図１３】従来のデジタル放送受信装置の構成を示すブロック図
【発明を実施するための形態】
【００４１】
本願の発明者は、自動起動機能を有する従来の受信装置において、緊急放送の有無を監視する際の、受信したＯＦＤＭ信号に対するＦＦＴ処理の消費電力が特に大きいことに着目した。即ち、図１３の構成において、緊急放送の有無を監視する待機状態では、構成Ａを動作させる必要があるが、この場合のＦＦＴ１０４における処理における電力消費が比較的大きい。そこで、本発明の実施の形態の受信装置では、緊急放送の有無を監視する待機状態でのＦＦＴの演算量を軽減して受信装置の消費電力の軽減を図る。なお、以下の説明において、待機状態とは、受信装置に対して例えば電池等の電源からの電力が供給されているが、放送コンテンツが再生されていない状態をいう。
【００４２】
（第１の実施の形態）
以下、本発明の第１の実施の形態の受信装置について、図面を参照しながら説明する。図１は、本実施の形態の受信装置の構成を示すブロック図である。受信装置１００は、アンテナ１１、チャネル選局部１２、発振器１３、乗算器１４、ＩＦ回路１５、発振器１６、乗算器１７、Ａ／Ｄ変換器１８、直交復調回路１９、スイッチ２０、バンドパスフィルタ（ＢＰＦ）２１、サンプリングレート変換（デシメーション）器２２、高速フーリエ変換（ＦＦＴ）回路２３、制御情報復号器２４、高速フーリエ変換（ＦＦＴ）回路２５、制御情報復号器２６、電源制御部２７、および制御部２８を備えている。
【００４３】
送信装置からは、ＯＦＤＭ方式で変調された信号（ＯＦＤＭ信号）が重畳された送信波が伝送される。受信装置１００のアンテナ１１は、この送信波をＲＦ信号として受信する。このアンテナ１１は、本発明の受信手段に相当する。チャネル選局部１４は、ユーザによって選択されたチャネルに応じたチャネル選択信号を発振器１３に出力する。発振器１３は、チャネル選択信号に従った発振周波数を発信する。乗算器１４は、チャネル選択信号に従った発振周波数のＲＦ信号をＩＦ回路１５に出力する。ＩＦ回路１５は、ＲＦ信号を周波数変換してＩＦ信号を出力する。
【００４４】
発振器１６はキャリア周波数を乗算器１７に出力する。乗算器１７は、キャリア周波数のＩＦ信号をＡ／Ｄ変換器１８に出力する。Ａ／Ｄ変換器１８は、ＩＦ信号をＡ／Ｄ変換して直交復調回路１９に出力する。直交復調回路１９は、デジタル化されたＩＦ信号を直交復調して、時間領域でサンプリングされたベースバンドのＯＦＤＭ信号を出力する。
【００４５】
直交復調回路１９の出力側には、直交復調回路１９をＢＰＦ２１に接続するか、直交復調回路１９をＦＦＴ回路２５に接続するかを切り替えるスイッチ２０が接続されている。スイッチ２０の切替えは、制御部２８によって制御される。制御部２８は、受信装置１００が待機状態にあって、緊急放送の有無を監視する場合には、スイッチ２０をＢＰＦ２２側に接続し、受信装置１００が映像信号や音声信号を受信してその再生をする場合には、スイッチ２０をＦＴＴ回路２５に接続する。制御部２８は、本発明の制御手段に相当する。
【００４６】
待機時には、制御部２８によってスイッチ２０がＢＰＦ２１に接続される。このとき、ＢＰＦ２１は、スイッチ２０を介して直交復調回路１９に接続される。ＢＰＦ２１は、直交復調回路１９から入力されるＯＦＤＭ信号のうちの一部の周波数帯域の信号のみを出力する。サンプリングレート変換器２２は、ＢＰＦ２１から出力された信号を、ＢＰＦ２１におけるフィルタリングに応じた間隔で間引き処理（デシメーション処理）する。具体的には、ＢＰＦ２１で全周波数帯域のＮ分の１の周波数帯域のみを出力した場合には、サンプリングレート変換器２２もＮ本おきにサブキャリアを抽出する。
【００４７】
ＦＦＴ回路２３は、サンプリングレート変換器２２から出力されたサブキャリアに対して、ＢＰＦ２１で通過させる帯域に対応する狭帯域のＦＦＴ処理を適用する。このＢＰＦ２１、サンプリングレート変換器２２およびＦＦＴ回路２３からなる構成は、本発明の狭帯域ＦＦＴ手段に相当する。制御情報復号器２４は、ＦＦＴ回路２３から出力されたＯＦＤＭ信号、即ち周波数領域でサンプリングされたＦＦＴ処理後のＯＦＤＭ信号を復号して、制御情報を抽出する。制御情報復号器２４は、特に制御情報に含まれるＡＣキャリア中の緊急放送有無情報を抽出する。即ち、本実施の形態では、緊急放送有無情報は、緊急放送フラグとしてＡＣキャリアに多重されている。制御情報復号器２４は、緊急放送有無情報、即ち緊急放送フラグがＯＮであるかＯＦＦであるかを電源制御部２７および制御部２８に通知する。
【００４８】
一方、受信したＯＦＤＭ信号に基づいて映像や音声等の放送コンテンツ（緊急放送コンテンツを含む）を出力する際には、制御部２８によってスイッチ２０がＦＦＴ回路２５に切り替えられ、ＦＦＴ回路２５は、スイッチ２０を介して直交復調回路１９に接続される。ＦＦＴ回路２５は、直交復調回路１９から入力されるサブキャリアに対してＦＦＴ処理を行なう。このとき、ＦＦＴ回路２５は、ＦＦＴ回路２３とは異なり、サブキャリアのすべての周波数帯域についてＦＦＴ処理を適用する。ＦＦＴ回路２５は、本発明の全帯域ＦＦＴ手段に相当する。制御情報復号器２６は、ＦＦＴ回路２５から出力されたＯＦＤＭ信号、即ち周波数領域でサンプリングされたＦＦＴ処理後のＯＦＤＭ信号を復号して、ＴＭＣＣキャリアおよびＡＣキャリアを含む制御情報を抽出する。
【００４９】
以下、ＦＦＴ回路２３およびＦＦＴ回路２５によるＦＦＴ処理について詳細に説明する。図２は、横軸を周波数としてＦＦＴ処理後の出力を示す図である。図２は、ＩＳＤＢ−Ｔの１セグ送信のｍｏｄｅ３の場合の例を示している。図２において、実線の矢印はデータキャリアを示し、破線の矢印はＡＣキャリアを示している。図２に示すように、ＯＦＤＭ信号には４３２本のサブキャリアが含まれている。この４３２本のサブキャリアには、８本のＡＣキャリアが含まれており、それらの位置は既知である。
【００５０】
各ＡＣキャリアには同一の緊急放送有無情報が多重されている。このことは、受信品質が悪い場合には、複数のＡＣキャリアで伝送された受信結果をアナログ合成することで、Ｓ／Ｎ比を改善させることができる一方、すべてのＡＣキャリアを受信しなくても緊急放送有無情報の検知が可能であることを意味する。一方、放送コンテンツ（緊急放送コンテンツを含む）を再生する場合には、当然ながらすべてのデータキャリアを抽出する必要がある。
【００５１】
図３は、ＦＦＴ回路２５におけるＦＦＴ処理を説明する図であり、図４は、ＦＦＴ回路２３におけるＦＦＴ処理を説明する図である。放送コンテンツを再生する際には、スイッチ２０は直交復調器１９をＦＦＴ回路２５に接続する。ＦＦＴ回路２５には、直交復調器１９で復調されたすべてのサブキャリアが入力される。ＦＦＴ回路２５は、図３に示すように、このサブキャリアに対してフルサイズ（１０２４ポイント）のＦＦＴ処理を行なう。この処理によって、データキャリアおよびＴＭＣＣキャリアやＡＣキャリアを含む制御キャリアが抽出される。
【００５２】
これに対して、待機状態では、ＡＣキャリアのみ抽出できればよい。上述のように、４３２本のサブキャリアには、８本のＡＣキャリアが含まれており、各ＡＣキャリアには同一の緊急放送有無情報が多重されている。よって、ＦＦＴ回路２３は、４３２本のすべてのサブキャリアをカバーするウィンドウでＦＦＴ処理を行なう必要はない。そこで、ＦＦＴ回路２３は、すべてのサブキャリアよりも小さいウィンドウサイズによってＦＦＴ処理を行なう。
【００５３】
このとき、ＦＦＴ回路２３は、緊急放送有無情報が多重されているサブキャリアを少なくとも１つ含むようにウィンドウのサイズ及び位置を設定する。本実施の形態では、通常の処理を行なうＦＦＴ回路２５が１０２４ポイントのＦＦＴ処理を行なうのに対して、ＦＦＴ回路２３は、６４ポイントのＦＦＴ処理を行なう。即ち、ＦＦＴ回路２３は、フルサイズの１／１６のサイズのウィンドウでＦＦＴ処理を行なう。
【００５４】
このために、ＢＰＦ２１は、ＦＦＴ回路２３で行なう狭帯域のＦＦＴ処理に必要な帯域のみを通過させる。即ち、ＦＦＴ回路２３でのＦＦＴ処理のＦＦＴポイント数が全体の１／Ｎとなる場合には、ＢＰＦ２１もそのＮ分の１の帯域のみを通過させる。また、サンプリングレート変換器２２は、ＢＰＦ２１で通過させる帯域が全体の１／Ｎとなったときに、そこからサンプリングするサブキャリアもＮ本おきとなるように間引き処理を行なう（サンプリングレートを１／Ｎとする）。本実施の形態では、ウィンドウサイズが１／１６となっているので、ＢＰＦ２１は、そのウィンドウに対応する１／１６の幅の帯域を通過させ、サンプリングレート変換器２２もサンプリングレートを１／１６とする。
【００５５】
図１に戻って、受信装置１００は、さらにパイロット・データシンボル復調処理部５０を備えている。パイロット・データシンボル復調処理部５０は、ＦＦＴ回路２５から出力されたデータキャリアを入力して、放送コンテンツを再生するために、このデータキャリアを復調して、データシンボルを取得する。また、パイロット・データシンボル復調処理部５０は、放送コンテンツを再生する際に、制御信号復号器２６にて復号された制御信号を入力することで、その制御信号に従って放送コンテンツを復調する。パイロット・データシンボル復調処理部５０は、本発明の復調手段に相当する。
【００５６】
パイロット・データシンボル復調処理部５０は、データキャリア復調部２９、周波数デインターリーブ部３０、時間デインターリーブ部３１、デマッピング部３２、ビットデインターリーブ部３３、デパンクチャ部３４、ビダビ復号部３５、バイトデインターリーブ部３６、逆拡散部３７、およびリードソロモン復号部３８を備えている。
【００５７】
データキャリア復調部２９は、ＦＦＴ回路２５から出力された周波数成分のうちのデータキャリアを復調する。周波数デインターリーブ部３０は、キャリア復調されたサブキャリアの順番を並べ替える。時間デインターリーブ部３１は、さらにサブキャリアの順番を入れ替える。デマッピング部３２は、キャリア信号に対してデータの再割付処理（デマッピング処理）を行い、伝送データ系列を復元する。ビットデインターリーブ部３３は、多値シンボルの誤り分散のためのインターリーブ処理に対応したデインターリーブ処理によって、伝送データ系列をビット単位で並び替える。
【００５８】
デパンクチャ部３４は、伝送ビット削減のためのパンクチャリング処理に対応したデパンクチャリング処理によって、信号領域に暫定値を挿入する。ビダビ復号部３５は、折りたたみ復号されたビット列を復号する。バイトデインターリーブ部３６は、バイト単位でインターリーブ処理を行なう。逆拡散部３７は、信号極性の偏りをなくしランダム性を持たせるために、送信側で掛け合わせた擬似雑音系列を逆に掛け合わせる。リードソロモン復号部３８は、ブロック誤り訂正復号として、誤り訂正検出および誤り訂正復号を行なう。パイロット・データシンボル復調処理部５０の上記の一連の処理によって、データシンボルが復調される。データキャリアに多重されているパイロットシンボルも上記と同様にして復調される。
【００５９】
上述のように、待機状態にある場合において、制御情報復号器２４は、ＡＣキャリアを抽出して、そこに多重されている緊急放送有無情報を電源制御部２７に出力することで、緊急放送の有無を電源制御部２７に通知する。電源制御部２７は、この緊急放送有無情報において緊急放送フラグがＯＮになっている場合には、パイロット・データシンボル復調処理部５０を起動させる。即ち、待機状態では、パイロット・データシンボル復調処理部５０には電源が供給されず、休止状態とされており、パイロット・データシンボル復調処理部５０は、緊急放送フラグがＯＮであることが検出されると電源制御部２７によって電源が供給されて起動する。
【００６０】
また、制御情報復号器２４は、制御部２８に対しても緊急放送有無情報を出力して、緊急放送の有無を通知する。制御部２８は、緊急放送有無情報において緊急放送フラグがＯＮである場合には、スイッチ２０を制御して、直交復調器１９とＦＦＴ回路２５とを接続する。ＦＦＴ回路２５からはデータキャリアがパイロット・データシンボル復調処理部５０に出力され、パイロット・データシンボル復調処理部５０は、パイロットシンボルおよびデータシンボルの復調を開始する。
【００６１】
一方、待機状態にある場合において、緊急放送フラグがＯＦＦであるときには、電源制御部２７は、パイロット・データシンボル復調処理部５０に電源を供給しない状態を維持して、パイロット・データシンボル復調処理部５０を休止したままとする。また、制御部２８は、待機状態にある場合において、緊急放送フラグがＯＦＦであるときには、スイッチ２０をそのままＢＰＦ２１に接続させた状態で維持する。また、パイロット・データシンボル復調処理部５０は、上記のようにして緊急放送有無情報によって自動的に起動した場合において、制御信号復号器２６から受けた制御情報において、緊急放送フラグがＯＦＦとなった場合（緊急放送が終了した場合）は、その動作を休止する。
【００６２】
図５は、待機状態（状態Ａ）における受信装置１００の動作フロー図であり、図６は、パイロット・データシンボル復調処理部５０が緊急放送有無情報によって自動的に起動したとき（状態Ｂ）の受信装置１００の動作フロー図である。待機状態（状態Ａ）では、スイッチ２０は、直交復調回路１９をＢＰＦ２１に接続する。図５に示すように、ＢＰＦ２１は、ＦＦＴ回路２３における狭帯域のＦＦＴ処理に対応した狭帯域を通過させるバンドパスフィルタ処理を行なう（ステップＳ５１）。ＢＰＦ２１の出力に対して、サンプリングレート変換器２２は、ＦＦＴ回路２３における狭帯域のＦＦＴ処理に対応したサンプリングレートでサンプリングレート変換処理を行なう（ステップＳ５２）。次に、ＦＦＴ回路２３は、サンプリングレート変換器２２で間引きされたサブキャリアに対して、Ｎ（Ｎ＝６４）ポイントの狭帯域のＦＦＴ処理を行なう（ステップＳ５３）。
【００６３】
制御信号復号器２４は、ＡＣキャリアを抽出する（ステップＳ５４）。電源制御部２７は、抽出されたＡＣキャリアにおいて、緊急放送フラグがＯＮであるか否かを判断し（ステップＳ５５）、緊急放送フラグがＯＮである場合には（ステップＳ５５にてＹＥＳ）、パイロット・データシンボル復調処理部５０に電源を供給して起動する（ステップＳ５６）。パイロット・データシンボル復調処理部５０が起動すると、状態Ｂに移行する（ステップＳ５７）。
【００６４】
パイロット・データシンボル復調処理部５０が起動した状態（状態Ｂ）では、スイッチ２０は、直交復調回路１９をＦＦＴ回路２５に接続する。図６に示すように、ＦＦＴ回路２５は、直交復調回路１９から出力される複数のサブキャリアに対してフルサイズ（１０２４ポイント）のＦＦＴ処理を行なう（ステップＳ６１）。制御信号復号器２６はＴＭＣＣおよびＡＣキャリアを抽出して（ステップＳ６２）、これに基づいてパイロット・データシンボル復調処理部５０における復調処理を制御する。
【００６５】
制御信号復号器２６は、抽出したＡＣキャリアにおいて緊急放送フラグがＯＮになっているか否かを判断する（ステップＳ６３）。緊急放送フラグがＯＮである場合（ステップＳ６３にてＹＥＳ）、即ち、緊急放送が依然としてある場合には、パイロット・データシンボル復調処理部５０は、ＦＦＴ回路２５から出力されるフーリエ変換係数を入力して、パイロットシンボルおよびデータシンボルの復調処理を行ない（ステップＳ６４）、ステップＳ６１に戻る。ここでは緊急放送があるので、パイロット・データシンボル復調処理部５０は、緊急放送コンテンツの復調処理を行なう。緊急放送が終了して緊急放送フラグがＯＦＦになった場合には（ステップＳ６３にてＮＯ）、電源制御部２７はパイロット・データシンボル復調処理部５０への電源の供給を停止して、待機状態（状態Ａ）に移行する（ステップＳ６５）。
【００６６】
以上のように、本実施の形態の受信装置１００によれば、緊急放送の有無を示す緊急放送フラグが複数のＡＣキャリアに重複して多重されていることを利用して、待機状態では、データキャリアを含む複数のサブキャリアのうちの少なくとも１本のＡＣキャリアを含む狭いウィンドウを設定してＦＦＴ処理を行い、ＡＣキャリアを抽出するので、すべてのサブキャリアについてＦＦＴ処理を行なう場合と比較して、緊急放送フラグを検出するためのＦＦＴ処理の演算量を軽減でき、待機状態での消費電力を抑えることができる。
【００６７】
また、緊急放送フラグがＯＮとなった場合には直ちにパイロット・データシンボル復調処理部５０に電源を供給するので、緊急放送フラグに応じて直ちにパイロット・データシンボル処理機を自動起動でき、待機状態から自動的に緊急放送コンテンツを再生できる。
【００６８】
（第２の実施の形態）
図７は、第２の実施の形態の受信装置の構成を示すブロック図である。本実施の形態の受信装置２００において、第１の実施の形態の受信装置１００と同一の構成については、同一の符号を付して、その説明を省略する。本実施の形態の受信装置２００は、パイロット・データシンボル復調処理部５０から制御部２８に対して、受信品質情報が与えられ、制御部２８からＢＰＦ２１、サンプリングレート変換器２２、およびＦＦＴ回路２３に対して制御信号が与えられる点で第１の実施の形態の受信装置１００と異なっている。
【００６９】
本実施の形態の受信装置２００は、待機状態でのＦＦＴ処理におけるウィンドウサイズ（ＦＦＴサイズ）を変更可能である。上述のように、複数のサブキャリアには、同一内容の複数のＡＣキャリアが含まれているので、そのうちの一部のみから緊急放送フラグを検出すればよいが、このようにして帯域を制限すると、受信装置２００における受信品質が悪い場合には、周波数選択性フェージングによって当該狭帯域内のＡＣキャリアを受信できない場合がある。よって、受信品質が低い場合には、より広い帯域でＡＣキャリアを受信することが有利である。そこで、本実施の形態の受信装置２００は、その受信品質に応じてＦＦＴサイズを変更する。
【００７０】
パイロット・データシンボル復調処理部５０は、放送コンテンツを復調した際に、受信品質情報として受信品質値を算出する。受信品質値は、ＢＥＲ（Bit Error Rate）を用いるが、これに限定されず、受信品質を表す値であれば足り、ＦＥＲ（Frame Error Rate）や受信電界強度（ＲＳＳＩ：Received Signal Strength Indicator）、受信端末の移動速度等も好適に用いることができる。また、受信品質情報は、上記のような受信品質を表す具体的な値に限らず、受信品質値が所定の閾値を下回るか否かの情報であってもよい。
【００７１】
パイロット・データシンボル復調処理部５０は、算出した受信品質値を制御部２８に出力する。制御部２８は、待機状態では、第１の実施の形態と同様に、スイッチ２０をＢＰＦ２１に接続するが、このとき、受信品質値が所定の閾値よりも低い場合には、ＦＦＴ回路２３がより広いウィンドウでＦＦＴ処理を行なうように、ＢＰＦ２１、サンプリングレート変換器２２、およびＦＦＴ回路２３を制御する。
【００７２】
図８は、ＦＦＴ回路２３におけるウィンドウサイズの切替えを説明するための図である。ＦＦＴ回路２３は、受信品質が閾値よりも高い場合には、図８に示すように、２本のＡＣキャリアを含むウィンドウで（１）６４ポイントのＦＦＴ処理を行い、受信品質が閾値よりも低い場合には、４本のＡＣキャリアを含むより広いウィンドウで（２）５１２ポイントのＦＦＴ処理を行なう。
【００７３】
このために、制御部２８は、受信品質が閾値よりも高い場合には、６４ポイントのウィンドウのサブキャリアを通過させるようにＢＰＦ２１を制御し、サンプリングレートを（６４／１０２４＝）１／１６とするようにサンプリングレート変換器２２を制御し、６４ポイントのＦＦＴ処理を行なうようにＦＦＴ回路２３を制御する。また、制御部２８は、受信品質が閾値よりも低い場合には、５１２ポイントのウィンドウのサブキャリアを通過させるようにＢＰＦ２１を制御し、サンプリングレートを（５１２／１０２４＝）１／２とするようにサンプリングレート変換器２２を制御し、５１２ポイントのＦＦＴ処理を行なうようにＦＦＴ回路２３を制御する。
【００７４】
図９は、待機状態（状態Ａ）における受信装置２００の動作フロー図であり、図１０は、パイロット・データシンボル復調処理部５０が緊急放送有無情報によって自動的に起動したとき（状態Ｂ）の受信装置２００の動作フロー図である。待機状態（状態Ａ）では、スイッチ２０は、直交復調回路１９をＢＰＦ２１に接続する。図９に示すように、待機状態において、制御部２８は、直前の受信品質情報に基づいて、ＦＦＴサイズＮを決定する（ステップＳ９１）。本実施の形態では、ＦＦＴサイズＮは、６４ポイントか５１２ポイントのいずれかである。
【００７５】
続いて、制御部２８は、ＦＦＴサイズＮに応じてＢＰＦ２１およびサンプリングレート変換器２２を制御する（ステップＳ９２）。具体的には、制御部２８は、ＦＦＴサイズに応じて、ＢＰＦ２１が通過させる周波数帯域を設定し、サンプリングレート変換器２２におけるサンプリングレートを設定する。
【００７６】
ＢＰＦ２１は、通過させる周波数帯域が制御部２８によって設定されると、バンドパスフィルタ処理を行なう（ステップＳ９３）。ＢＰＦ２１の出力に対して、サンプリングレート変換器２２は、制御部２８によって設定されたサンプリングレートによってサンプリングレート変換処理を行なう（ステップＳ９４）。次に、ＦＦＴ回路２３は、サンプリングレート変換器２２で間引きされたサブキャリアに対して、Ｎ（Ｎ＝６４または５１２）ポイントの狭帯域のＦＦＴ処理を行なう（ステップＳ９５）。
【００７７】
制御信号復号器２４は、ＡＣキャリアを抽出する（ステップＳ９６）。電源制御部２７は、抽出されたＡＣキャリアにおいて、緊急放送フラグがＯＮであるか否かを判断し（ステップＳ９７）、緊急放送フラグがＯＮである場合には（ステップＳ９７にてＹＥＳ）、パイロット・データシンボル復調処理部５０に電源を供給して起動する（ステップＳ９８）。パイロット・データシンボル復調処理部５０が起動すると、状態Ｂに移行する（ステップＳ９９）。
【００７８】
パイロット・データシンボル復調処理部５０が起動した状態（状態Ｂ）では、スイッチ２０は、直交復調回路１９をＦＦＴ回路２５に接続する。図１０に示すように、ＦＦＴ回路２５は、直交復調回路１９から出力される複数のサブキャリアに対してフルサイズ（１０２４ポイント）のＦＦＴ処理を行なう（ステップＳ１０１）。制御信号復号器２６はＴＭＣＣおよびＡＣキャリアを抽出して（ステップＳ１０２）、これに基づいてパイロット・データシンボル復調処理部５０における復調処理を制御する。
【００７９】
制御信号復号器２６は、抽出したＡＣキャリアにおいて緊急放送フラグがＯＮになっているか否かを判断する（ステップＳ１０３）。緊急放送フラグがＯＮである場合（ステップＳ１０３にてＹＥＳ）、即ち、緊急放送が依然としてある場合には、パイロット・データシンボル復調処理部５０は、ＦＦＴ回路２５から出力されるフーリエ変換係数を入力して、パイロットシンボルおよびデータシンボルの復調処理を行なう（ステップＳ１０４）。そして、パイロット・データシンボル復調処理部５０は、受信品質を算出して制御部２８に出力し（ステップＳ１０５）、ステップＳ１０１に戻る。ここでは緊急放送があるので、パイロット・データシンボル復調処理部５０は、緊急放送コンテンツの復調処理を行なう。緊急放送が終了して緊急放送フラグがＯＦＦになった場合には（ステップＳ１０３にてＮＯ）、電源制御部２７はパイロット・データシンボル復調処理部５０への電源の供給を停止して、待機状態（状態Ａ）に移行する（ステップＳ１０５）。
【００８０】
なお、パイロット・データシンボル復調処理部５０は、緊急放送ではない通常の放送コンテンツについて復調処理を行なう場合にも、受信品質を算出して、受信品質情報として制御部２８に出力する。制御部２８は、受信品質情報を受け取るごとに、古い受信品質情報を更新して、常に最新の受信品質情報を記憶している。制御部２８は、待機状態にある場合には、最新の受信品質情報を参照して、ＦＦＴサイズを決定する。
【００８１】
以上のように、本実施の形態の受信装置２００によれば、受信品質に応じて待機状態で緊急放送フラグを検出するための狭帯域のＦＦＴ処理におけるウィンドウサイズが決定されるので、待機状態での省電力を実現できるとともに、それによって緊急放送フラグを受信できなくなる可能性を軽減できる。
【００８２】
なお、上記の第２の実施の形態では、ＦＦＴ回路２３が２種類のＦＦＴサイズを切り替えてＦＦＴ処理を行なったが、受信品質に応じて切替可能なＦＦＴサイズは、３種類以上であってもよい。また、ＦＦＴ回路２３をＦＰＧＡ（Field-Programmable Gate Array）やＡＳＩＣ（Application Specific Integrated Circuit）で実装する場合には、サイズの異なるＦＦＴ回路を複数設けて、使用するＦＦＴ回路を切り替えることでＦＦＴサイズを切り替えてもよい。ただし、複数のＦＦＴ回路を設けると、その分スペースが必要となるので、許容されるスペースに応じて１つのＦＦＴ回路でＦＦＴサイズを切り替えるか、サイズの異なる複数のＦＦＴ回路を設けるかを判断すればよい。
【００８３】
また、上記の第２の実施の形態では、待機状態において、直前の受信品質情報に基づいてＦＦＴサイズを決定した。即ち、待機状態になる前に放送コンテンツを再生した際の最後の受信品質に基づいて、その後の待機状態でのＦＦＴサイズが決定された。しかし、待機状態が比較的長く続く場合には、受信状態が変化し、受信品質情報が古くなることが考えられる。このために、待機状態において、電源制御部２７は、緊急起動フラグがＯＦＦである場合にも、定期的にパイロット・データシンボル復調処理部５０を強制的に起動して（即ち状態Ｂに移行して）、制御部２８が最新の受信品質情報を取得するようにしてもよい。
【００８４】
また、上記のパイロット・データシンボル復調処理部５０の定期的な強制起動に代えて、またはそれに加えて、待機状態において制御信号復号器２４が受信品質情報を算出して制御部２８に出力してもよい。この場合には、制御信号復号器２４は、ＴＭＣＣキャリアを復号して、それに含まれる同期を取るための固定値を示すシンボルの受信状況やフレーム単位の同期ワードの受信状況に基づいて、受信品質情報を算出してよい。
【００８５】
（第３の実施の形態）
図１１は、第３の実施の形態の受信装置の構成を示すブロック図である。本実施の形態の受信装置３００において、第１の実施の形態の受信装置１００と同一の構成については、同一の符号を付して、その説明を省略する。本実施の形態の受信装置３００は、待機状態での緊急放送フラグの検出のための消費電力を軽減するとともに、周波数選択性フェージング等の影響により特定の周波数帯域においてフェージングによる受信劣化が発生して緊急放送フラグを検出できない可能性を低減する。
【００８６】
図１２は、本実施の形態の受信装置３００のＦＦＴ回路２３におけるＦＦＴウィンドウを説明するための図である。受信装置３００は、ＯＦＤＭフレームごとに、ＦＦＴウィンドウの位置を変更する。具体的には、図１２に示すように、ＦＦＴ回路２３は、第ｋ番目（ｋは自然数）のＯＦＤＭフレームについては、第１番目のＡＣキャリアを含む６４ポイントのＦＦＴウィンドウ（１）でＦＦＴ処理を行い、第ｋ＋２番目のＯＦＤＭフレームについては、第２番目および第３番目のＡＣキャリアを含む１２８ポイントのＦＦＴウィンドウ（２）でＦＦＴ処理を行い、第ｋ＋３番目のＯＦＤＭフレームについては、第４番目のＡＣキャリアを含む６４ポイントのＦＦＴウィンドウ（３）でＦＦＴ処理を行なう。即ち、ＯＦＤＭフレームごとに、互いに異なるＦＦＴウィンドウ（１）、（２）、（３）の順でウィンドウを変更し、これを繰り返す。
【００８７】
制御部２８は、ＢＰＦ２１、サンプリングレート変換器２２、およびＦＦＴ回路２３をそれぞれ制御することで、上記のウィンドウサイズの切替えを実現する。具体的には、制御部２８は、ＦＦＴウィンドウの位置および大きさに応じた帯域を通過させるようにＢＰＦ２１を制御し、ＦＦＴウィンドウの大きさに応じたサンプリングレートをサンプリングレート変換器２２に設定し、上記のようなＦＦＴウィンドウでＦＦＴ処理をするようにＦＦＴ回路２３を制御する。
【００８８】
以上のように、本実施の形態の受信装置３００によれば、待機状態で、異なるＯＦＤＭフレームに対して周波数が互いに異なる狭帯域のＦＦＴウィンドウを設定してＦＦＴ処理を行って緊急放送フラグを検出するので、待機状態での省電力を実現できるとともに、周波数選択性フェージング耐性を高めることができる。
【００８９】
なお、本実施の形態では、ＦＦＴウィンドウ（１）とＦＦＴウィンドウ（３）のサイズは同じであり、それらとＦＦＴウィンドウ（２）のサイズは異なっているが、各ＦＦＴウィンドウのサイズは同じであっても異なっていてもよい。また、本実施の形態では、複数のＦＦＴウィンドウが互いに重複していないが、一部が他のＦＦＴウィンドウと重複していてもよい。さらに、本実施の形態では、ＯＦＤＭフレームごとにＦＦＴウィンドウを切り替えたが、ＯＦＤＭフレームごとに切り替えなくとも、時間の経過に伴って切り替えるものであればよい。また、ＦＦＴウィンドウの切替周期を動的に変更してもよい。例えば、ＦＦＴウィンドウの切替周期は、フェージング速度に応じて動的に決定してよい。
【００９０】
また、上記のようにＦＦＴウィンドウをシフトさせるとともに、制御信号復号器２４がそれぞれのＦＦＴウィンドウについて受信品質を評価して、その後は受信品質の良好なＦＦＴウィンドウに固定してもよい。また、あるＦＦＴウィンドウの受信品質が劣悪である場合に、他のＦＦＴウィンドウにシフトさせてもよい。
【００９１】
以上、本発明の第１ないし第３の実施の形態を説明したが、上記の第１ないし第３の実施の形態の受信装置は、いずれも待機状態で緊急放送フラグを検出するためのＦＦＴ処理におけるＦＦＴウィンドウを狭帯域とし、周波数軸での処理削減によって省電力を図ったが、消費電力を軽減する手段としては、必要なシンボルのみを時間的に間欠的に抽出して緊急放送フラグを検出するという、時間軸での処理の削減も考えられる。しかしながら、時間軸での処理の削減は、誤り訂正が不可能になり、かつフレーム同期も不可能になるので、受信品質を担保できないというデメリットがある。これに対して、本発明の実施の形態では、周波数軸での処理の削減を行うので、誤り訂正およびフレーム同期が可能であるという点で時間軸での処理の削減より有利である。ただし、本発明は、周波数軸での処理削減とともに時間軸での処理削減を行う場合を排除するものではない。
【００９２】
上記の実施の形態では、ＡＣキャリアに緊急放送有無情報が多重されている例を説明したが、緊急放送有無情報はＴＭＣＣキャリアに多重されていてもよい。この場合、制御信号復号器２４は、ＴＭＣＣキャリアを抽出して、そこから緊急放送フラグを検出する。
【００９３】
また、上記の第１ないし第３の実施の形態の受信装置が、制御情報に付与される時刻と、受信端末側での時刻との差異を確認し、差異が所定の閾値を超えない場合に有意な情報であると判断する時刻チェック機能を備えていてもよい。また、受信装置がＧＰＳ機能を有し、緊急放送が、受信装置が属するエリアについてのものであるかを判断するエリアチェック機能を有していてもよい。これらの時刻チェック機能およびエリアチェック機能により、悪意で放送された誤った内容の緊急放送を受信して再生することを回避できる。
【００９４】
また、第１ないし第３の実施の形態の受信装置は、放送コンテンツを再生する際にはＦＦＴ回路２５においてフルサイズのＦＦＴ処理を行なう一方、待機状態ではＦＦＴ回路２３において狭帯域のＦＦＴ処理を行なうことで、待機状態での消費する電力を抑えた。受信装置は、状況によっては待機状態で緊急放送の有無を監視する必要がない場合もある。例えば、災害時に避難所にいる場合には、近くに緊急放送の有無を監視する他の機器があることも想定される。
【００９５】
よって、第１ないし第３の実施の形態の受信装置は、消費電力の節約という観点からは、上記で説明した待機状態での緊急放送の有無の監視をＯＮ／ＯＦＦする機能を有していることが望ましい。ユーザは、周囲に緊急放送の有無の監視を監視する他の機器が存在する場合には、当該ユーザの受信装置の待機状態での緊急放送監視機能をＯＦＦすることで、その受信装置の電力消費を抑えることができる。
【産業上の利用可能性】
【００９６】
本発明は、待機状態で緊急放送の有無を監視するためのＦＦＴ処理にかかる処理負担を軽減して、消費電力を抑えることができるという効果を有し、ＯＦＤＭ信号に含まれる緊急放送有無信号に基づいて自動起動する受信装置等として有用である。
【符号の説明】
【００９７】
１１  アンテナ
１２  チャネル選局部
１３  発振器
１４  乗算器
１５  ＩＦ回路
１６  発振器
１７  乗算器
１８  Ａ／Ｄ変換器
１９  直交復調回路
２０  スイッチ
２１  バンドパスフィルタ（ＢＰＦ）
２２  サンプリングレート変換（デシメーション）器
２３  高速フーリエ変換（ＦＦＴ）回路
２４  制御信号復号器
２５  高速フーリエ変換（ＦＦＴ）回路
２６  制御信号復号器
２７  電源制御部
２８  制御部
２９  データキャリア復調部
３０  周波数デインターリーブ部
３１  時間デインターリーブ部
３２  デマッピング部
３３  ビットデインターリーブ部
３４  デパンクチャ部
３５  ビタビ復号部
３６  バイトデインターリーブ部
３７  逆拡散部
３８  リードソロモン復号部
５０  パイロット・データシンボル復調処理部
１００、２００、３００  受信装置
【図１】
2014053864.tif 000003
【図２】
2014053864.tif 000004
【図３】
2014053864.tif 000005
【図４】
2014053864.tif 000006
【図５】
2014053864.tif 000007
【図６】
2014053864.tif 000008
【図７】
2014053864.tif 000009
【図８】
2014053864.tif 000010
【図９】
2014053864.tif 000011
【図１０】
2014053864.tif 000012
【図１１】
2014053864.tif 000013
【図１２】
2014053864.tif 000014
【図１３】
2014053864.tif 000015